(57)【要約】【課題】施工性が良く、また、増水などにより植生が流出した場合でも、容易に再緑化できる堤防の遮水構造を提供する。【解決手段】堤防１０の遮水構造２０は、堤防１０の河川１１側の法面に隙間なく敷設された複数の遮水性を有する型枠パネル１０と、型枠パネル１０の表面に取り付けられた植生ネット２２と、植生ネット２２に吹き付けられた植生基材２３とを備え、複数の型枠パネル２１は互いに連結されている。型枠パネル２１は、透水性織物が袋状に形成された布製型枠２４と、布製型枠２４内に充填されたベントナイト粉粒体２５と、を備え、布製型枠２４を浸透した水分により、ベントナイト粉粒体２５が膨潤することにより遮水性を有する。【選択図】図１
2007247232.tif 000002
【特許請求の範囲】
【請求項１】
堤防の遮水構造であって、
前記堤防の法面に隙間なく敷設された複数の遮水性を有する型枠パネルを備え、
前記複数の型枠パネルは互いに連結されていることを特徴とする堤防の遮水構造。
【請求項２】
前記堤防は河川堤防であり、
前記複数の型枠パネルは、前記河川堤防の河川側法面に敷設されていることを特徴とする請求項１記載の堤防の遮水構造
【請求項３】
前記型枠パネルは、
対向する二辺のうち何れか一方の辺に沿って設けられた第１の面ファスナーと、
他方の辺に沿って設けられた第２の面ファスナーとを備え、
前記第１の面ファスナーを、隣接する型枠パネルの第２の面ファスナーに付着させることにより、隣接する型枠パネルが連結されていることを特徴とする請求項１又は２記載の堤防の遮水構造。
【請求項４】
前記型枠パネル表面に取り付けられた緑化補助材料と、
前記緑化補助材料に吹き付けられた植生基材とを備えることを特徴とする請求項１から３何れかに記載の堤防の遮水構造。
【請求項５】
前記型枠パネルは、
透水性織物が袋状に形成された布製型枠と、
前記布製型枠内に充填された膨潤性充填材料と、を備え、
前記布製型枠を浸透した水分によって、前記膨潤性充填材料が膨潤することにより遮水性を有することを特徴とする請求項１から４何れかに記載の堤防の遮水構造。
【請求項６】
前記膨潤性充填材料は、ベントナイト粉粒体又はベントナイト粉粒体と土質材料が混合された混合土であることを特徴とする請求項５記載の堤防の遮水構造。
【請求項７】
前記型枠パネルは、
前記堤防の構築現場又はその付近において、
前記布製型枠に前記膨潤性充填材料を充填することにより形成されたことを特徴とする請求項５又は６記載の堤防の遮水構造。
【請求項８】
堤防を遮水する方法であって、
前記堤防の法面に複数の遮水性を有する型枠パネルを隙間なく敷設し、
前記複数の型枠パネルを互いに連結することを特徴とする堤防の遮水方法。
【発明の詳細な説明】
【技術分野】
【０００１】
本発明は堤防の遮水構造及び方法に関し、特に、堤防の浸透破壊を防止するとともに、堤防の法面の緑化を図るための堤防の遮水構造及び方法に関する。
【背景技術】
【０００２】
従来より、河川に沿って設けられる河川堤防の法面は、洪水時などに河川水量の増加により水面が上昇すると、流水により浸食される。特に、河川堤防は法面より水が浸透すると、浸透破壊を生じる虞があるため、河川の流れによる浸食から河川堤防を守るとともに、流水が河川堤防内に浸透するのを防止する遮水構造が、河川堤防の河川側の法面に設けられている。また、近年、法改正により、河川法に河川環境の整備と保全が盛り込まれたため、河川堤防の法面などの河川周辺の領域の積極的な緑化が期待されている。
【０００３】
このように、河川堤防に遮水性を持たせるとともに、その表面を緑化するための遮水構造として、例えば特許文献１には、河川堤防の法面に遮水シート、ふとんかご、及び防砂板を順に設置するとともに、この上に覆土して緑化した遮水構造が記載されている。
【特許文献１】特開平９―１１１７３５号公報
【発明の開示】
【発明が解決しようとする課題】
【０００４】
しかし、上記の遮水構造を構築する際に、覆土した後に締固めを行わなければないが、覆土や締固め作業を河川堤防の法面のような傾斜面で行わなければならず、多大な時間と労力がかかってしまう。さらに、増水などにより覆土が流出した場合には再度緑化を行うが、この際、覆土及び種子の吹付けを行わなければならず、復旧に手間がかかるという問題もある。
【０００５】
本発明は、上記の問題に鑑みなされたものであり、その目的は、施工性が良く、また、増水などにより植物などが流出した場合でも、容易に再緑化できる堤防の遮水構造を提供することである。
【課題を解決するための手段】
【０００６】
本発明の遮水構造は、堤防の遮水構造であって、前記堤防の法面に隙間なく敷設された複数の遮水性を有する型枠パネルを備え、前記複数の型枠パネルは互いに連結されていることを特徴とする。
ここで、前記堤防は河川堤防であり、前記複数の型枠パネルは、前記河川堤防の河川側法面に敷設されていてもよい。
また、上記の遮水構造において、前記型枠パネルは、対向する二辺のうち何れか一方の辺に沿って設けられた第１の面ファスナーと、他方の辺に沿って設けられた第２の面ファスナーとを備え、前記第１の面ファスナーを、隣接する型枠パネルの第２の面ファスナーに付着させることにより、隣接する型枠パネルが連結されてもよい。また、上記の遮水構造において、前記型枠パネル表面に取り付けられた緑化補助材料と、前記緑化補助材料に吹き付けられた植生基材とを備えてもよい。
上記の遮水構造によれば、複数の型枠パネルを敷設し、これらを連結することにより遮水構造を構築することができるため、短期間で施工を行うことができる。また、型枠パネル表面に取り付けられた緑化補助材料に、植生基盤を吹付けるだけで簡単に緑化をすることができる。
【０００７】
また、前記型枠パネルは、透水性織物が袋状に形成された布製型枠と、前記布製型枠内に充填された膨潤性充填材料と、を備え、前記布製型枠を浸透した水分によって、前記充填材料が膨潤することにより遮水性を有してもよい。
なお、前記膨潤性充填材料は、ベントナイト粉粒体又はベントナイト粉粒体と土質材料が混合された混合土であってもよい。
【０００８】
また、前記型枠パネルは、前記堤防の構築現場又はその付近において、前記布製型枠に前記充填材料を充填することにより形成されてもよい。
なお、本発明は、堤防を遮水する方法であって、前記河川堤防の河川側法面に複数の遮水性を有する型枠パネルを隙間なく敷設し、前記複数の型枠パネルを互いに連結することを特徴とする遮水方法を含むものとする。
【発明の効果】
【０００９】
本実施形態の堤防の遮水構造によれば、現場において型枠パネルを形成し、形成した型枠パネルを堤防の法面に敷設するだけで、遮水層を形成することができるため、工期の短縮が図れる。また、植生が流出した場合にも、植生補助材料に植生基材を吹付けるだけで容易に再緑化できる。
【発明を実施するための最良の形態】
【００１０】
以下、本実施形態の堤防の遮水構造について図面を参照しながら説明する。
図１（Ａ）は、本実施形態の河川堤防１０の遮水構造２０の断面図であり、同図（Ｂ）は、遮水構造２０を拡大した図である。また、図２は、遮水構造２０における型枠パネル２１の配置を示す斜視図である。図１（Ａ）に示すように、本実施形態の遮水構造２０は、河川堤防１０の河川１１側の法面の表面に設けられ、増水時などにおける河川１１の水による河川堤防１０の浸食及び河川の水が河川堤防１０に浸透するのを防止するとともに、河川堤防１０の法面を緑化するための遮水構造である。図１（Ａ）及び（Ｂ）に示すように、本実施形態の遮水構造２０は、河川堤防１０の表面に敷設された複数の型枠パネル２１と、型枠パネル２１の表面に取り付けられた植生ネット２２と、植生ネット２２に吹付けられた植生基材２３とを備える。
【００１１】
図１及び図２に示すように、型枠パネル２１は長方形の板状に成形されており、河川堤防１０に縦横に隙間なく並べて敷設され、互いに隣接する型枠パネル２１同士は連結されている。植生ネット２２は、ポリエチレンやナイロンなどが網目状に編まれたネットであり、植生基材２３に混合された種子から成長した植物の根が植生ネット２２に絡み付くことにより植生基材２３を保持することができる。植生基材２３は、土に芝などの植物の種子などが混合された混合土であり、植生ネット２２により法面に保持されている。
【００１２】
型枠パネル２１は長方形の布製型枠２４と、布製型枠２４内部に充填されたベントナイト粉粒体２５とにより構成される。布製型枠２４は、例えば、糸の太さが５００〜２０００ｄｔｘ、糸の本数が４０本／インチのポリエステルマルチフィラメントなどの織布からなり、透水性を有するとともに、ベントナイト粉粒体２５を保持することができる。布製型枠２４の表材と裏材とを結ぶように間隔調整糸２６が設けられており、この間隔調整糸２６により布製型枠２４にベントナイト粉粒体２５を充填した際に、布製型枠２４の厚さが一定以上にならないように保持している。
【００１３】
型枠パネル２１に雨水や河川の流水などが浸透すると、充填されたベントナイト粉粒体２５が水分を吸収して膨潤することにより、粒子間の隙間がなくなるため、遮水性を有するようになる。本実施形態の遮水構造２０では、このような型枠パネル２１を隙間なく敷き詰めることにより、河川堤防１０に水が浸透するのを防止するとともに、浸食より河川堤防を保護する。さらに、植生ネット２２により植生基材２３を保持し、この植生基材２３に含まれる種子が成長することにより、遮水構造２０の表面を緑化することができる。
【００１４】
図３は、布製型枠２４の構成を示す斜視図である。同図に示すように、布製型枠２４の対向する二辺のうち一方の辺に沿って第１の面ファスナー２７が貼付され、他方の辺に沿って、第２の面ファスナー２９が貼付された帯状の布材２８が取り付けられている。これにより、図４に示すように、布材２８により隣接する型枠パネル２１の接合部を覆い、布材２８の第２の面ファスナー２９を隣接する型枠パネル２１の第１の面ファスナー２７に付着させることにより、容易に隣接する型枠パネル２１同士を連結することができる。また、図３に示すように、型枠パネル２１を構成する布製型枠２４の表面には複数のループ３０が設けられており、このループ３０に植生ネット２２を取付金具などを用いて取付けることで、植生ネット２２を型枠パネル２１の表面に固定することができる。さらに、布製型枠２４の一辺（本実施形態では、図３における左下側の短辺）には、開口３１と、それを塞ぐようにふた材３２とが設けられている。
【００１５】
図５は、布製型枠２４に設けられた開口３１の周辺の拡大図であり、同図（Ａ）、（Ｂ）には、異なる角度から見た様子を示している。同図（Ａ）及び（Ｂ）に示すように、布製型枠２４の一辺にはベントナイト粉粒体２５を充填するための開口３１が設けられており、この開口３１の設けられた辺に沿って開口３１を閉じるためのふた材３２が設けられている。ふた材３２の内面には、縁に沿って第３の面ファスナー３３が貼付されている。また、開口３１の縁に沿って第４の面ファスナー３４が貼付されており、ふた材３２の内面の第３の面ファスナー３３を、開口３１の縁に設けられた第４の面ファスナー３４に付着させることにより、開口３１を閉じることができる。
【００１６】
以下、本実施形態の遮水構造２０を構築する方法を説明する。
まず、遮水構造２０を構築する河川堤防１０の法面を、施工が行い易いように適宜成形しておく。
次に、植生ネット２２の取り付けられた布製型枠２４及びベントナイト粉粒体２５を遮水構造２０を構築する現場に搬入する。植生ネット２２は、予め、工場などで布製型枠２４のループ３０に取付金具などを用いて取り付けておく。
【００１７】
次に、現場において、搬入された布製型枠２４にベントナイト粉粒体２５を充填して型枠パネル２１を形成する。なお、この際、以下に詳述するベントナイト充填装置４０を用いて、布製型枠２４にベントナイト粉粒体２５の充填を行う。
図６（Ａ）は、ベントナイトを充填する際のベントナイト充填装置４０を示す斜視図であり、同図（Ｂ）は、ベントナイト充填後のベントナイト充填装置４０を示す斜視図である。図６（Ａ）に示すように、ベントナイト充填装置４０は、布製型枠２４を保持する型枠保持部材４２と、上部の投入口よりベントナイト粉粒体２５が投入され、下部の排出口より投入されたベントナイト粉粒体を型枠保持部材４２に固定された布製型枠２４に排出するホッパー４１と、を備える。型枠保持部材４２の裏面には、支持部材４３が回動自在に接続されており、図６（Ａ）に示すように、この支持部材４３を上方に向けて支持することにより、型枠保持部材４２を傾斜した状態に保持することができ、また、図６（Ｂ）に示すように、この支持部材４３を略水平に向けることにより、後述する型枠パネル２１を敷設する際に揚重しやすいように、型枠保持部材４２を水平にするとともに、前方へ押し出すことができる。
【００１８】
布製型枠２４にベントナイト粉粒体２５を充填する際には、図６（Ａ）に示すように、型枠保持部材４２を傾斜させた状態で、布製型枠２４を、その開口３１がホッパー４１の排出口の直下にくるように型枠保持部材４２に固定する。この状態でベントナイト粉粒体２５を流し込むと、型枠保持部材４２が傾斜しているため、布製型枠２４内の下端まで流れ込む。また、布製型枠２４は、その表面と裏面との間の間隔が一定以上に広がらないように保持する間隔調整糸２６を備えるため、布製型枠２４内のベントナイト粉粒体２５が偏ることを防止できる。布製型枠２４に充分にベントナイト粉粒体２５を流し込んだ後、開口３１の付近に設けられたふた材３２の部分に貼付された第３の面ファスナー３３を開口３１の周縁部に貼付された第４の面ファスナー３４に付着させることにより、ふた材３２が開口３１を塞ぎ、ベントナイト粉粒体２５の流出を防止することができる。以上のようにして型枠パネル２１が形成される。
【００１９】
次に、形成された型枠パネル２１を河川堤防１０の表面に敷設する。この際、ベントナイト充填装置４０の支持部材４３を水平に傾けることにより、型枠保持部材４２が水平になるとともに、前方に押し出される。これにより、ホッパー４１が揚重する際に障害とならず、また、型枠パネル２１を水平な状態で揚重することができる。そして、図７に示すように、ベントナイト粉粒体２５の充填が終了した型枠パネル２１を揚重機により揚重し、河川堤防１０の表面に隙間なく縦横に敷設する。
【００２０】
次に、型枠パネル２１を縦横に敷設した後、隣接する型枠パネル２１同士を連結する。上述したように、型枠パネル２１を構成する布製型枠２４には、対向する二辺の何れか一方の辺に沿って第１の面ファスナー２７が取り付けられ、他方の辺に沿って第２の面ファスナー２９の取り付けられた布材２８が取り付けられている。このため、図７に示すように型枠パネル２１を縦横に並べて敷設すると、隣接する型枠パネル２１同士は、第１の面ファスナー２７の貼付された側の端部と、第２の面ファスナー２９の貼付された布材２８が取り付けられた側の端部とで当接する。このため、第２の面ファスナー２９を隣接する型枠パネル２１の第１の面ファスナー２７に付着させることにより縦横に敷設された型枠パネル２１を連結することができる。
次に、型枠パネル２１の表面に取り付けられた植生ネット２２に植生基材２３を吹付ける。これにより、本実施形態の遮水構造２０が構築される。
【００２１】
以上説明したように、本実施形態の遮水構造２０によれば、型枠パネル２１を堤防の法面に敷設し、面ファスナーにより連結するだけで、遮水構造２０を構築することができるため、工期を短縮することができる。また、型枠パネル２１に取り付けられた植生ネット２２に植生基材２３を吹付けるだけで緑化することができるため、施工性が向上される。さらに、増水により吹付けた植生基材２３が流出した場合にも、再び植生ネット２２に植生基材２３を吹付けるだけで再緑化することができる。
【００２２】
なお、本実施形態では、布製型枠２４にベントナイト粉粒体２５を充填することにより型枠パネル２１を形成するものとしたが、これに限らず、布製型枠２４にベントナイトの粉粒体に土質材料を混合した混合土を充填してもよい。
また、植生ネット２２としては、上記のような網目状のものではなく、綿状に絡んだ糸材を用いてもよく、要するに、植生基材２３の植物の根が絡まることができるものであればよい。
【００２３】
また、本実施形態では、隣接する型枠パネル２１同士を面ファスナーにより連結するもとのとしたが、これに限らず、型枠パネル２１同士を隙間なく連結することができる構成であればよい。
なお、上記実施形態では、本発明の堤防の遮水構造を河川堤防の河川側法面に対して適用した場合について説明したが、これに限らず、ため池、貯水池、調整池などの堤防の上流側（水に面する側）の法面に対しても適用することができる。
【００２４】
また、図８は本実施形態の隣接する型枠パネル２１同士を連結する別の方法を示す図である。同図に示すように、本方法では、予め、型枠パネル２１の布製型枠２４の下面に隣接する型枠パネル２１に対向する辺の縁に沿って、布製型枠２４と同じ材料からなる吸出し防止布５０を取り付けておく。そして、隣接する型枠パネル２１をその縁部近傍が吸出し防止布５０上に載るように敷設し、両型枠パネル２１の接合部の隙間に粒状ベントナイト５１を充填した後、面ファスナー２８、２９により両型枠パネル２１を連結する。これにより、型枠パネル２１の接合部においてもより確実に遮水することができる。
【図面の簡単な説明】
【００２５】
【図１】（Ａ）は、本実施形態の河川堤防の遮水構造を示す断面図であり、同図（Ｂ）は、遮水構造を拡大した図である。
【図２】本実施形態の遮水構造における型枠パネルの配置を示す斜視図である。
【図３】布製型枠の構成を示す斜視図である。
【図４】布製型枠に取り付けられた布材により隣接する型枠パネルを連結する方法を示す図である。
【図５】（Ａ）は、布製型枠の一辺に設けられた開口の周辺を示す斜視図であり、同図（Ｂ）は、異なる角度から見た布製型枠の開口の周辺の斜視図である。
【図６】（Ａ）は、ベントナイトを充填する際のベントナイト充填装置を示す斜視図であり、同図（Ｂ）は、ベントナイト充填後のベントナイト充填装置を示す斜視図である。
【図７】型枠パネルを河川堤防に敷設する状況を示す斜視図である。
【図８】型枠パネルを連結する別の方法を示す図である。
【符号の説明】
【００２６】
１０  河川堤防                    １１  河川
２０  遮水構造                    ２１  型枠パネル
２２  植生ネット                  ２３  植生基材
２４  布製型枠                    ２５  ベントナイト粉粒体
２６  間隔調整糸                  ２７  第１の面ファスナー
２８  布材                        ２９  第２の面ファスナー
３０  ループ                      ３１  開口
３２  ふた材                      ３３  第３の面ファスナー
３４  第４の面ファスナー          ４０  ベントナイト充填装置
４１  ホッパー                    ４２  型枠保持部材
４３  支持部材                    ５０  吸出し防止布
５１  粒状ベントナイト
【図２】
2007247232.tif 000003
【図３】
2007247232.tif 000004
【図４】
2007247232.tif 000005
【図８】
2007247232.tif 000006
【図１】
2007247232.tif 000007
【図５】
2007247232.tif 000008
【図６】
2007247232.tif 000009
【図７】
2007247232.tif 000010